(57)【特許請求の範囲】
【請求項１】
前方ボディー部と後方ボディー部とを形成する細長状の滑走ボードにおいて、
上方および下方の表面を形成する第１芯であって、少なくとも第１芯の上方および下方の表面を囲み、対応する上方および下方の外部表面を形成する構造層とともに剛性を有する構造梁を形成する長手状の第１芯と、
第１芯の上方であって、先端および後端のうちの少なくとも一方まで前方および後方のボディー部内で構造梁の剛性を略変化させることなく延び、かつ第１芯および構造層によって形成された構造梁の外側であり、構造層の上方外側表面上に少なくとも部分的に配置される第２芯であって、第２芯と構造層の上方外側表面との間に配置されるとともに先端および後端のうちの少なくとも一方まで前方ボディー部、後方ボディー部の範囲内で延びる薄いエラストマー剪断歪み層を含む、第２芯と、
第２芯と、構造層の上方外側表面のいずれかの露出部の少なくとも一部分と、を覆う最上部層と、
第１芯の下方において、構造層の下方外側表面を覆う基礎層と、
を備えたことを特徴とする細長状の滑走ボード。
【請求項２】
第２芯は、滑走ボードの前方ボディー部において第１芯の上に配置されることを特徴とする請求項１記載の滑走ボード。
【請求項３】
第２芯は、幅および高さが滑走ボードの長手に沿って変化することを特徴とする請求項２記載の滑走ボード。
【請求項４】
第２芯は、滑走ボードの後方ボディー部において第１芯の上に配置されることを特徴とする請求項１記載の滑走ボード。
【請求項５】
第２芯は、長さ及び幅が滑走ボードの長手に沿って変化することを特徴とする請求項４記載の滑走ボード。
【請求項６】
第２芯は、幅および高さが滑走ボードの長手に沿って変化することを特徴とする請求項１記載の滑走ボード。
【請求項７】
第２芯は、滑走ボードの最上部層によって形成されているビンディング範囲の下方で延び、更に、滑走ボードの前方若しくは後方に向かって延びるとともに厚さが増加する、ことを特徴とする請求項１記載の滑走ボード。
【請求項８】
第２芯は、木材およびポリマー・フォームから成るグループから選別された材料によって形成されていることを特徴とする請求項１記載の滑走ボード。
【請求項９】
最上部層は、第２芯の上方表面を覆うとともに、下方に向かって延びて第１芯の両側面を覆うことを特徴とする請求項１記載の滑走ボード。
【請求項１０】
エラストマー層は、構造層の上方表面と最上部層との間で第２芯を囲むことを特徴とする請求項１記載の滑走ボード。
【請求項１１】
第２芯は、滑走ボード内で一体となって設けられるとともに、最上部層によってのみ覆われることを特徴とする請求項１記載の滑走ボード。
【請求項１２】
荷重伝達構造層は上方平面を形成し、
第２芯は、荷重伝達構造層の上方平面の上に配置される
ことを特徴とする請求項１記載の滑走ボード。
【請求項１３】
第２芯は、密度の異なる第１の材料と第２の材料とを有することを特徴とする請求項１記載の滑走ボード。
【請求項１４】
前方ボディー部と中央ビンディング部と後方ボディー部とを形成する細長状の滑走ボードにおいて、
上方および下方の表面を形成する長手状の第一芯と、
少なくとも第１芯の上方および下方の表面を囲み、対応する上方および下方の外部表面を形成する荷重伝達構造層を含む荷重伝達構造であって、第１芯と構造層は、剛性を有する主要な構造梁を形成する荷重伝達構造と、
前方ボディー部、中央ビンディング部、および後方ボディー部の範囲内で、第１芯および荷重伝達構造の上で構造層の上方外側表面の上に少なくとも部分的に配置され、第１芯および構造層によって形成された主要構造梁の外側にある第２芯であって、主要構造梁の剛性を略変えることなく滑走ボードの長手に沿った荷重分布が変化する第２芯と、  第２芯と、構造層の上方外側表面のいずれかの露出部のうちの少なくとも一部部と、を覆う最上部層と、
第１芯の下方で、構造層の下方外側表面を覆う基礎層と、
を備えたことを特徴とする細長状の滑走ボード。
【請求項１５】
前方ボディー部と中央ビンディング部と後方ボディー部とを形成する細長状の滑走ボードにおいて、
少なくとも荷重伝達構造層によって補強されている第１芯によって形成されているボディーと、
前方ボディー部、中央ビンディング部、および後方ボディー部の範囲内で、少なくとも一つの荷重伝達構造層の上でボディーの一部分の上に少なくとも部分的に配置され、ボディーによって形成された剛性を有する主要構造梁の外側に位置する第２芯であって、中央ビンディング部に向かう前方ボディー部の少なくとも一部に沿って、主要構造梁の剛性を略変化させることなく略段階的幅細となることなく、滑走ボードの長手に沿って荷重分布が変化する第２芯と、
第２芯の少なくとも一部分を覆うとともに、ボディーの上で第２芯と一体となっている最上部層と、
ボディーの下方外側表面を覆う基礎層と、
を備えたことを特徴とする細長状の滑走ボード。
【請求項１６】
更に、第２芯とボディーの上方表面との間に配置されたエラストマー層を備えたこと特徴とする請求項１５記載の滑走ボード。
【請求項１７】
第２芯は、ボディーの長手に沿って高さが変化することを特徴とする請求項１５記載の滑走ボード。
【請求項１８】
前方ボディー部と後方ボディー部とを形成する細長状の滑走ボードの製造方法において、
荷重伝達構造層によって少なくとも長手状の第１芯の上方および下方の表面を囲み、荷重伝達構造層は対応する上方および下方の外側表面を形成する工程と、
構造層の上方外側表面の少なくとも一部の上にエラストマー剪断歪み層を配置する工程と、
エラストマー剪断歪み層の上に第２芯を配置し、エラストマー剪断歪み層および第２芯は、実質的に、先端および後端の少なくとも一方まで前方ボディー部内、後方ボディー部内で延びるとともに、剛性を有するとともに第１芯および荷重伝達構造層によって形成された主要構造梁の外側に配置され、第２芯は主要構造梁に対する剛性を略変えないようにする工程と、
第２芯上に最上部層を配置するとともに、構造層の上方外側表面のいずれかの露出部のうちの少なくとも一部分に最上部層を配置する工程と、
第１芯の下で、構造層の下方外側表面上に基礎層を配置する工程と、
を備えたことを特徴とする細長状の滑走ボードの製造方法。
【請求項１９】
第１芯の長手に沿って第２芯の幅および厚さを変えて、第１芯の長手に沿った荷重分布を変える工程を更に備えたことを特徴とする請求項１８記載の方法。
【請求項２０】
第２芯と最上部層との間で、第２芯の上にエラストマー層を配置する工程を更に備えたことを特徴とする請求項１８記載の方法。
【発明の詳細な説明】
【０００１】
本発明は滑走ボードの構造とスノースキーにおける質量分布の方法と関する。
【０００２】
アルペン用スキー（an alpine ski）の長手に沿った質量分布は、スキーの性能の力学に影響を与える鍵となる要素である。同様の検討材料は、ノルディック用スキー（Nordic ski）やスノーボードに対しても適用される。質量分布は、スキーの構造の形態とこぶの振動特性とに影響を与え、同様に、スキーが衝撃および振動の処理方式を決定する。
【０００３】
在来型のスキーは、固体物質や薄板状の木材から作られていた。より近年においては、木あるいは泡沫体により形成された芯によってスキーが組み立てられており、この芯は、均一な厚さを有する荷重伝達構造層によって挟まれ若しくは囲まれている。構造層は、例えば樹脂やアルミニウム合金により補強されたカーボンやポリアラミドファイバー（polyarmide fiber）によって形成されてもよい。性能にとって極めて重要である、長手に沿うスキーの硬質外形は、芯の厚さを変えることにより慣習的に獲得されている。この結果、在来型のスキーの長手に沿った質量分布とスキーの剛性とは結びつけられて、その両者は、主として芯の厚さによって決定される。より厚い芯は、芯を囲む荷重伝達層によって形成されるより大きな梁をもたらし、そしてその逆もまた同様である。より薄い芯は、より小さい梁をもたらすとともに、より小さい剛性をもたらす。これは在来型のスキーにとって、比較的小さなちょっとしたスキーの質量分布の変化が可能であることを意味している。従って、スキーの長さを変えたり、スキーの先端の質量を変えたり、あるいは、スキーの動的挙動を変えるために外部重さを加えたりする必要がある。
【０００４】
在来型のスキーの他のタイプでは分離芯構造が用いられている。例えば、エラストマー層によって連結された第１芯層および第２芯層によりスキー芯が形成されている。しかしながら、これらの分離芯は、更に荷重伝達構造層によって挟まれ若しくは囲まれている。このため、この場合もやはりスキーの剛性と質量分布とが結びつけられている。
【０００５】
本発明は細長滑走ボードを備え、この細長滑走ボードは、前方ボディー部と後方ボディー部とを形成する。滑走ボードは、第１芯によって形成されたボディーを含み、第１芯は、少なくとも一つの荷重伝達層によって補強されている。第２芯は、少なくとも一つの荷重伝達構造層の外側のボディーの少なくとも一部分上に配置されている。最上部層は、第２芯とボディーの上方表面のいずれかの露出部とを少なくとも覆う。基礎層は、ボディーの下方外側表面を覆う。
【０００６】
発明の更なる側面として、細長滑走ボードは、長手状の第１芯を含み、長手状の第１芯は、上方および下方の表面を形成する。荷重伝達層は、少なくとも、第１芯の上方および下方の表面を囲み、対応する上方および下方の外側表面を形成する。第２芯は、第１芯の上方において、少なくとも部分的に、構造層の上方外側表面の上に配置される。最上部層は、少なくとも、第２芯と構造層の上方外側表面のいずれかの露出部とを覆う。基礎層は、第１芯の下方において、構造層の下方外側表面を覆う。
【０００７】
本発明の更なる側面として、細長滑走ボードの製造方法が提供されている。その方法は、少なくとも長手状の第１芯の上方および下方の表面を荷重伝達構造層によって囲むことが必要とされる。荷重伝達層は、対応する上方および下方の外側表面を形成する。その方法は、少なくとも、構造層の上方外側表面部の上に第２芯を配置することが必要である。最上部層は、少なくとも、第２芯と、構造層の上方外側表面のいずれかの露出部との上方に配置される。基礎層は、構造層の下方外側表面を覆って、第１芯の下方に配置される。
【０００８】
また、本発明は、スキーの長手に沿った質量分布をスキーの剛性から切り離すための方法を提供する。第１芯の上方に位置するモジュラー若しくは第２芯、そして複数の構造補強層によって形成された梁の外部は、スキーの長手に沿った所望位置において対応するスキーの剛性の増加なしに、増加した全体の芯の厚さの提供を可能にする。第１芯の上方に配置された第２芯と、主要な荷重伝達構造層のすべてと、によってスキーを構成することにより、芯の重量は、ビンディング範囲の前方および後方におけるスキー位置に加えられ得る。スキーの力学特性の決定に加えて、スキー先端が受ける衝撃荷重の影響を減少させるモジュラー第２芯を設けることが可能である。
【０００９】
この発明の前述の特徴および付随する利点の多くは、以下の詳細な記述による言及により、更に理解されるとともに、より容易に認識されることとなるであろう。
【００１０】
図１は、本発明の好ましい実施の形態に一致して構成されたスキーの平面図である。図２は、図１のスキーの前方ボディー部の図であり、最上部層の一部分が取り除かれて第２芯を露出させている。図３は、図１のスキーの横断面図であり、ビンディング範囲の前方のポイントでスキーを横断している。
【００１１】
本発明に一致する構成を有するスキー１０の好ましい実施の形態は、図１において図示されている。細長スキーは、平坦中央ビンディング部１２を形成し、スキーブーツをしっかりと留めるために、スキービンディングがビンディング部１２に設けられている。スキーは、先端１６において終結する前方ボディー部１４を形成するとともに、後端２０において終結する後方ボディー部１８を形成する。ここで用いられているように、前方という用語はスキーの長手軸に沿って延び、先端１６に向かう方向を言及するものであり、後方という用語はその反対方向を言及するものである
発明の好ましい実施の形態は、アルペン用スキー１０の形態で説明されている。しかしながら、前述のものはノルディック用スキー、スノーボード、そして他の滑走ボードに適応されてもよく、ボードの長手に沿った質量分布の変化を達成し、それによって、滑走ボードの動的外形が決定されることが容易に認識されるであろう。
【００１２】
図１及び図２に言及すると、後述されるであろうスキー１０は内部ボディー２２によって形成されているスキーの長手に沿った質量分布を定めるために、第２芯２４は、ボディー２２の上のスキーの長手に沿って、若しくはスキーの部分的に配置される。第２芯２４とボディー２２とは、最上部層２６によって上方表面上が覆われている。第２芯２４は、最上部層２６の下でスキーの長手に沿って延びる隆線を形成し、この隆線は、所定の質量分布および力学特性に関して所望のものとなるように幅および高さが変化する。図２で図示されている好ましい実施の形態では、第２芯２４の高さ若しくは厚さは、ビンディング範囲１２のちょうど前方で最も大きくなっている。第２芯２４がスキーの長手に沿って前方に延びるにつれて、厚さは最初比較的一定のままであるが、幅は増加する。第２芯２４が前方ボディー部１４の長手に沿って更に延びるにつれて、厚さは次第に小さくなる一方で、幅は広がり、先端１６のちょうど前で終結する。これはビンディング範囲１２のちょうど前方の前方ボディー部の範囲で、第２芯２４の質量の増加をもたらす。
【００１３】
図１及び図２の好ましい実施の形態において、第２芯２４もビンディング部１２の下で薄層に延びる。従って、第２芯２４は、不可欠的なスキーリフター（an integral ski lifter）として役立つ。図１に図示されている実施の形態において、第２芯２４は、前方における延伸部と同様の仕方で、ビンディング部１２の後方にも延びており、ビンディング部１２のちょうど後方の後方ボディー部１８の部分で、第２芯２４の質量は増加するようになっている。
【００１４】
図１及び図２の好ましい実施の形態は、スキー１０の長手に沿って連続的に延びる第２芯２４を含み、ビンディング部１２の下で最小厚さとなっており、ビンディング部１２の前方および後方で増大した質量を有している。択一的な構成は本発明の適用範囲内であり、付与された力学応答外形をスキーに与えることによって好ましいものとしてもよい。従って第２芯２４は、前方ボディー部１４においてのみ、若しくは後方ボディー部１８においてのみ含まれてもよい。
【００１５】
更に、図１に図示されているような連続的な変化よりも、第２芯２４の厚さと幅とを、好ましいようにスキーの付与された範囲に質量を集中させて、不連続的に変えてもよい。第２芯２４の増大する厚さを通じた質量の集積は、ビンディング範囲１２からの集積の位置に、スキー性能に対する更に大きな衝撃を与える。
【００１６】
ここで図３に注目すると、スキー１０の構成がより詳細に述べられている。スキー１０は、在来型の第１芯２８によって構成されている。図示では、第１芯２８は博捜の木材によって形成されているが、剛構造のウレタン発泡体や他のポリマー発泡体のような他の既知の新材料を活用してもよい。第１芯２８は構造補強層３０の荷重ベアリングによって囲まれている。好ましい実施の形態において、構造層３０は、第１芯２８の両側と同様に上方および下方の表面を囲む。しかしながら、在来型のスキー構造の他のタイプでも、本発明の適用にふさわしく、構造層３０は第１芯２８の上方および下方の表面のみを覆ってもよい。構造層３０に使用される適切な材料は知られており、例えば、ガラスにより強化されたポリエステルやエポキシの樹脂、ポリアラミドカーボンファイバーといった繊維強化樹脂のような材料が知られている。構造層３０は、単数若しくは複数の層であってもよい。第１芯２８及び周囲構造層３０は、スキー１０のボディー２２を形成する。
【００１７】
第２芯２４はボディー２２の上に配置されているので、第１芯２８および構造層３０の上方外部表面の上に第２芯２４は配置されている。図示された実施の形態において、第２芯は、発泡ウレタンのような剛構造発泡体によって形成されている。
【００１８】
しかしながら、木材のような他の芯材を選択的に活用してもよい。異なる密度を有する異なる複数の材料を、スキーの長手に沿った第２芯の体積変化とともに若しくはこの体積変化なしで、より大きな質量分布を有する第２芯を形成するために活用してもよい。従って、第１及び第２の密度を有する第１及び第２の発泡体材料は、第２芯を形成するために使用されうる。第２芯２４は、第１芯２８及び周囲の構造層３０によって形成された構造梁の外側であって、かつ、この構造梁の上部に位置する。従って、第２芯２４は、スキーの剛性を大して変えない。スキーの剛性への影響を更に防ぐために、スキー１０は、好ましくは第２芯２４の下方表面と構造層３０の上方表面との間に、薄いエラストマー層３２を含む。これは第２芯２４とボディー２２との間で限られた剪断歪み動作を付与するとともに可能にし、衝撃を吸収ために役立つ。
【００１９】
スキー１０は、最上部層２６若しくは第２芯２４の上方表面上に配置されるキャップ(cap)を更に含む。図示されている好ましい実施の形態では、構造層３０の上方表面の露出された側面部分は、同様に、構造層３０の両側を覆って下方に向かって延びる。また、好ましい実施の形態は、好ましくは第２芯２４の上方表面と最上部層２６との間に延びるエラストマー層３２を含む。これは第２芯２４と最上部層２６との間における剪断歪みを助長する。しかしながら、これは、第２芯２４と構造層３０との間のエラストマー層３２の存在ほど重要でない。
【００２０】
スキー１０の好ましい実施の形態は、キャップ型の最上部層２６を含むように図示されており、このキャップ型最上部層２６は、ボディー２２の両サイドを覆うために下方に延びている。スキーの上方表面のみを覆う最上部層であって、分離側壁層によって覆われるように露出した両サイドを残している最上部層のような他の在来型の構造も、本発明の範囲内である。
【００２１】
第１芯２８の下における、構造層３０下方外部表面の下に配置される底部層３４によってスキーは完成している。底部層３４の縁は、鋼製の縁細長片３６のような金属によって補強されていることが好ましい。最上部層２６および底部層３４に用いられる材料は、従来技術において知られており、ウレタン(urethane)、アクリル(acrylics)、共重合体（copolymers）、そしてポリイミド(polyimide)のようなプラスチックを含む。好ましくは、最上部層は、ポリウレタンのような曲げやすい重合体の材料によって形成され、そしてポリエチレンの底部層（若しくは基礎部）である。
【００２２】
このため図３に言及すれば、スキー１０は、すべての主要な荷重伝達構造の上に配置されている第２芯２４を含むということが理解されうる。このため第２芯２４は、全体的にスキーの剛性に最小限に影響するが、スキーの選択された範囲に質量を加える。
【００２３】
図３に示された特徴に言及すれば、上方表面３８は中央隆線４０を形成し、第２芯２４は、この中央隆線４０の下で囲まれているということが理解されうる。図示された第２芯の外形は、典型的なものであり、所望のように第２芯の外形を変化させてもよい。第２芯２４は、エラストマー層３２によってボディー２２に堅固に付着されるとともに取り外せないように配置されているが、限られた剪断歪み動作に耐えられる。第２芯２４を最上部層４０によって覆うことにより、第２芯２４により示されたモジュールは、第１芯２８によって示されたモジュールと不変的に一体化している。
【００２４】
２成分を含む本発明に一致して構成されたモジュラースキーは、スキー用の一体型高性能サスペンションシステムを提供する。第２芯２４及びエラストマー層３２は、様々な条件における衝撃荷重および振動をスキーヤー(skier)から遮断する。そして、最大限の雪に対するエッジ接触と、操作性、パワー、容易さ、そして寛大さのより高い程度と、を提供する。より好ましい実施の形態において、第２芯２４およびエラストマー層３２により形成されたエラストマー合成モジュールは、先端から後端まで延びる。第２芯２４は、スキーのボディー２２が足の下で独立して作用することを可能にするが、第２芯２４は、雪の不一致および衝撃荷重を吸収してスキーヤーから遮断する。前方ボディー部および後方ボディー部を経て先端および後端までの第２芯２４の好ましい伸長は、それぞれ、スキーが曲げられている間における、よりよいエッジ操作が保持されることを可能にする。例えば、スキーの先端若しくは後端が上方に曲がっている場合、第２芯２４は、エラストマー層３２で剪断歪みが生じるために先端若しくは後端に向かって長手方向に動き若しくは延びる。それによって、よりよいエッジの雪接触が保持される。
【００２５】
発明の好ましい実施の形態を図示するとともに説明したが、発明の思想および範囲から外れないように様々な変更を行うことが可能であることが理解されるであろう。
【図面の簡単な説明】
【図１】  本発明の好ましい実施の形態に一致して構成されたスキーの平面図である。
【図２】  図１のスキーの前方ボディー部の図であり、最上部層の一部分が取り除かれて第２芯を露出させている。
【図３】  図１のスキーの横断面図であり、ビンディング範囲の前方のポイントでスキーを横断している。
【図１】
0004672223.tif 000002
【図２】
0004672223.tif 000003
【図３】
0004672223.tif 000004